(57)【要約】【課題】農園芸作物の生育に必要な光は透過させつつ、その余の光は効率的に太陽光発電に利用することのできる太陽光発電システムを備えた農園芸用施設を提供すること。【解決手段】農園芸用施設であって、（Ａ）太陽光発電システム；及び（Ｂ）波長８００〜１２００ナノメートルの光を反射し、波長４００〜５００ナノメートルと波長６００〜７００ナノメートルの光を透過する部材；を有し、（１）上記（Ｂ）部材に反射された光の少なくとも一部は、上記（Ａ）太陽光発電システムの太陽電池アレイに入射すること；（２）上記（Ｂ）部材を透過した光の少なくとも一部は、施設内部に入射すること；を特徴とする農園芸用施設。【選択図】図１
2015208288.tif 000002
【特許請求の範囲】
【請求項１】
農園芸用施設であって、
（Ａ）太陽光発電システム；及び
（Ｂ）波長８００〜１２００ナノメートルの光を反射し、波長４００〜５００ナノメートルと波長６００〜７００ナノメートルの光を透過する部材；
を有し、
（１）上記（Ｂ）部材に反射された光の少なくとも一部は、上記（Ａ）太陽光発電システムの太陽電池アレイに入射すること；
（２）上記（Ｂ）部材を透過した光の少なくとも一部は、施設内部に入射すること；
を特徴とする農園芸用施設。
【請求項２】
農園芸用施設であって、
（Ａ）太陽光発電システム；及び
（Ｃ）波長５００〜６００ナノメートルの光を反射し、波長４００〜５００ナノメートルと波長６００〜７００ナノメートルの光を透過する部材；
を有し、
（１）上記（Ｃ）部材に反射された光の少なくとも一部は、上記（Ａ）太陽光発電システムの太陽電池アレイに入射すること；
（２）上記（Ｃ）部材を透過した光の少なくとも一部は、施設内部に入射すること；
を特徴とする農園芸用施設。
【請求項３】
農園芸用施設であって、
（Ａ）太陽光発電システム；及び
（Ｄ）波長７００〜８００ナノメートルの光を反射し、波長４００〜５００ナノメートルと波長６００〜７００ナノメートルの光を透過する部材；
を有し、
（１）上記（Ｄ）部材に反射された光の少なくとも一部は、上記（Ａ）太陽光発電システムの太陽電池アレイに入射すること；
（２）上記（Ｄ）部材を透過した光の少なくとも一部は、施設内部に入射すること；
を特徴とする農園芸用施設。
【発明の詳細な説明】
【技術分野】
【０００１】
本発明は、農園芸用施設に関する。更に詳しくは、農園芸作物の生育に必要な光は透過させつつ、その余の光は効率的に太陽光発電に利用することのできる太陽光発電システムを備えた農園芸用施設に関する。
【背景技術】
【０００２】
近年、石油等の化石燃料や原子力に替わる新たなエネルギー源として、太陽光発電が注目を集めており、住宅や農園芸用ハウスの屋根等への太陽光発電システムの設置が進んでいる。太陽光発電システムを農園芸用ハウスの屋根の上や農地に設置された架台の上に設置する場合は、農園芸作物の生育に必要な光を施設内に採り入れるため、採光部分を有する太陽光発電システムが使用される（例えば、特許文献１）。
【０００３】
しかし、採光部分を有していても、採光部分以外の箇所による影が出来るため、農園芸作物の受け取る光量は場所により違い、その生育状態にばらつきが出易いという問題があった。またこの問題を解決するため、太陽光発電システムのアレイを非常に高い位置に設置することが行われているが、システムのメンテナンス作業性やメンテナンス作業時の安全性が低下する；システムが強風により被害を受け易い；という新たな問題を生じていた。更に、トマトなどのように、その生育に強い光を与えることが好ましい作物の場合には、光量が減るというのは大きな問題である。
【０００４】
また農園芸作物の生育に必要とする光は、可視光線の中でも波長４００〜５００ナノメートルと６００〜７００ナノメートルの光であり（非特許文献１）、それ以外の光は生育への寄与は小さい。つまりこれまでは有効活用されていない波長の光があった。
【先行技術文献】
【特許文献】
【０００５】
【特許文献１】特開２０１２−２１６６０９号公報
【非特許文献】
【０００６】
【非特許文献１】植物の成長・発育と光質の関係http://www.nodai.ac.jp/journal/research/amaki/050708.html
【発明の概要】
【発明が解決しようとする課題】
【０００７】
本発明の課題は、農園芸作物の生育に必要な光は透過させつつ、その余の光は効率的に太陽光発電に利用することのできる太陽光発電システムを備えた農園芸用施設を提供することにある。
【課題を解決するための手段】
【０００８】
本発明者は、鋭意研究した結果、農園芸作物の生育に必要としない波長の光は反射して太陽光発電に利用し、農園芸作物の生育に必要とする光は農園芸用施設内部へと入射させることにより、上記課題を達成できることを見出した。
【０００９】
すなわち、本発明は、農園芸用施設であって、
（Ａ）太陽光発電システム；及び
（Ｂ）波長８００〜１２００ナノメートルの光を反射し、波長４００〜５００ナノメートルと波長６００〜７００ナノメートルの光を透過する部材；
を有し、
（１）上記（Ｂ）部材に反射された光の少なくとも一部は、上記（Ａ）太陽光発電システムの太陽電池アレイに入射すること；
（２）上記（Ｂ）部材を透過した光の少なくとも一部は、施設内部に入射すること；
を特徴とする農園芸用施設である。
【００１０】
第２の発明は、農園芸用施設であって、
（Ａ）太陽光発電システム；及び
（Ｃ）波長５００〜６００ナノメートルの光を反射し、波長４００〜５００ナノメートルと波長６００〜７００ナノメートルの光を透過する部材；
を有し、
（１）上記（Ｃ）部材に反射された光の少なくとも一部は、上記（Ａ）太陽光発電システムの太陽電池アレイに入射すること；
（２）上記（Ｃ）部材を透過した光の少なくとも一部は、施設内部に入射すること；
を特徴とする農園芸用施設である。
【００１１】
第３の発明は、農園芸用施設であって、
（Ａ）太陽光発電システム；及び
（Ｄ）波長７００〜８００ナノメートルの光を反射し、波長４００〜５００ナノメートルと波長６００〜７００ナノメートルの光を透過する部材；
を有し、
（１）上記（Ｄ）部材に反射された光の少なくとも一部は、上記（Ａ）太陽光発電システムの太陽電池アレイに入射すること；
（２）上記（Ｄ）部材を透過した光の少なくとも一部は、施設内部に入射すること；
を特徴とする農園芸用施設である。
【発明の効果】
【００１２】
本発明の太陽光発電システムを備えた農園芸用施設は、農園芸作物の生育に必要としない波長の光は反射して太陽光発電に利用することができる。また農園芸作物の生育に必要とする波長の光は、農園芸用施設内部へと、光量をほとんど減らすことなく入射される。そのため、トマトなどのように、その生育に、強い光を与えることが好ましい作物の栽培に好適に用いることができる。
【発明を実施するための形態】
【００１３】
本明細書において、「農園芸用施設」とは、農園芸用ハウスのみならず、農地に設置された架台に太陽光発電システムやその関連設備を設置した施設も含む用語である。また「農園芸用施設内部」とは、農園芸用ハウスの場合はハウス内部であり、農地に設置された架台に太陽光発電システム等を設置した施設の場合は、上記部材Ｂ、上記部材Ｃ、及び上記部材Ｄの少なくとも何れか１の下となる場所である。
【００１４】
本明細書において、太陽電池セルとは、太陽電池素子そのもののことであり、太陽電池の基本単位となるものである。太陽電池モジュールとは、太陽電池セルを複数並べて配線し、強化ガラス等で保護・パッケージ化したものである。太陽電池アレイとは、太陽電池モジュールを複数並べて配線したものであり、太陽光発電システムの発電要素の設置単位となるものである。太陽光発電システムとはアレイ、及び制御系等を含むものである。
【００１５】
本発明の農園芸用施設は、（Ａ）太陽光発電システム；及び（Ｂ）波長８００〜１２００ナノメートルの光を反射し、波長４００〜５００ナノメートルと波長６００〜７００ナノメートルの光を透過する部材；を有する。
【００１６】
本発明の農園芸用施設を図１を用いて説明する。（Ｂ）波長８００〜１２００ナノメートルの光を反射し、波長４００〜５００ナノメートルと波長６００〜７００ナノメートルの光を透過する部材２に入射した太陽光のうち、波長８００〜１２００ナノメートルの光は部材２に反射されて、その少なくとも一部、好ましくは全部は、（Ａ）太陽光発電システムの太陽電池アレイ１に入射し、太陽光発電に利用される。波長４００〜５００ナノメートルと波長６００〜７００ナノメートルの光は部材２を透過し、その少なくとも一部、好ましくは全部は、農園芸用施設内部６に入射し、農園芸用作物の育成に利用される。
【００１７】
上記システムＡとしては、特に制限されず、任意のシステムを用いることができるが、主に利用する光が、波長８００〜１２００ナノメートルの光、波長５００〜６００ナノメートルの光（第２の発明）、及び波長７００〜８００ナノメートルの光（第３の発明）であるので、これらの波長領域の分光感度の高いものが好ましい。例えば、アモルファスシリコン型、結晶シリコン型、及びＣＩＳ（カルコパイライト）型などをあげることができる。
【００１８】
上記システムＡの太陽電池アレイを架台に回転自在に設置し、太陽の位置に応じて、上記部材Ｂ（第２の発明の場合は上記部材Ｃ、第３の発明の場合は上記部材Ｄ）との最適な位置関係を保つことができるように、制御することは、好ましい実施態様の一つである。この際に、上記部材Ｂ（第２の発明の場合は上記部材Ｃ、第３の発明の場合は上記部材Ｄ）も架台に回転自在に設置し、太陽の位置に応じて、太陽電池アレイとの最適な位置関係を保つことができるように、制御することがより好ましい。
【００１９】
また上記システムＡの太陽電池モジュールとして両面発電型モジュールを用いてもよい。太陽電池アレイの位置によっては、上記部材Ｂで反射された光の入射面とは反対側の面にも、光は入射していることがあるが、これを有効利用することができる。また、例えば図４に示すように、上記部材Ｂで反射された光を両面で受光するようにしてもよい。システムＡの設置に要する場所を節約し、農園芸用地を広く確保することができる。
【００２０】
上記両面発電型モジュールは、両面からの発電が可能なモジュールであり、例えば、表裏対象構造の太陽電池セルを、表面ガラスと裏面ガラスとでサンドイッチ構造にしたモジュール；表面のみ発電可能なモジュールを組み合わせ、モジュール組合体として両面からの発電を可能にしたもの；など任意の両面からの発電が可能なモジュールを使用することができる
【００２１】
なお上記システムＡの、設置場所は、制限されず、任意である。農園芸用施設内部に設置してもよく、外部に設置してもよい。また太陽電池アレイは内部に、制御系は外部にのように、内部と外部とに分散して設置してもよい。
【００２２】
上記部材Ｂ（第２の発明の場合は上記部材Ｃ、第３の発明の場合は上記部材Ｄ）で反射された光を、直接上記システムＡに入射させる替わりに、鏡などの全光線反射部材を１以上用い、その反射光をシステムＡに入射させるようにしてもよい。システムＡの設置場所をフレキシブルに選択することができるようになる。
【００２３】
上記部材Ｂは、波長８００〜１２００ナノメートルの光を反射し、波長４００〜５００ナノメートルと波長６００〜７００ナノメートルの光を透過する部材である。赤外線は、農園芸作物の生育には必要ではない。つまりこれまで赤外線は有効活用されていなかった。そこで本発明は、これを太陽光発電に有効利用しようとするものである。
【００２４】
上記部材Ｂの波長８００〜１２００ナノメートルの光の反射率（以下、反射率Ｂと略すことがある。）は、好ましくは３０％以上、より好ましくは５０％以上、更に好ましく７０％以上である。反射率Ｂは、高いほど太陽光発電効率が上がるため好ましい。
【００２５】
なお本明細書において、反射率Ｂは、波長８００〜１２００ナノメートルの全範囲における日射の反射率が１００％であると仮定した場合の反射スペクトルの積分面積に対する波長８００〜１２００ナノメートルにおける日射の反射スペクトルの積分面積の割合であり、島津製作所株式会社の分光光度計「ＳｏｌｉｄＳｐｅｃ−３７００（商品名）」を用い、光を入射角０°で部材Ｂに入射させて測定した値である。
【００２６】
また上記部材Ｂの、農園芸作物の生育に必要とする波長４００〜５００ナノメートルと波長６００〜７００ナノメートルの光の透過率（以下、透過率Ｂと略すことがある。）は、５０％以上、好ましくは７０％以上、より好ましくは８５％以上である。透過率Ｂは、高いほど農園芸用作物の生育の観点から好ましい。
【００２７】
なお本明細書において、透過率Ｂは、波長４００〜５００ナノメートルと波長６００〜７００ナノメートルの全範囲における日射の透過率が１００％であると仮定した場合の透過スペクトルの積分面積に対する波長４００〜５００ナノメートルと波長６００〜７００ナノメートルにおける日射の透過スペクトルの積分面積の割合であり、島津製作所株式会社の分光光度計「ＳｏｌｉｄＳｐｅｃ−３７００（商品名）」を用い、光を入射角０°で部材Ｂに入射させて測定した値である。
【００２８】
上記部材Ｂは、波長８００〜１２００ナノメートル、波長４００〜５００ナノメートル、及び波長６００〜７００ナノメートル以外の光は、透過するものであってもよく、反射するものであってもよく、制限されない。例えば、波長２９０〜３８０ナノメートルの紫外線領域の光は、蜜蜂等による虫媒受粉に必要であり、農園芸作物の病気を抑制する効果もあるため、透過するものであってよい。波長１２００〜２５００ナノメートルの遠赤外線領域の光は、農園芸用施設内部の温度を上昇させたいときは、透過するものであってよい。またイチゴやレタスなどの高温による育成障害の生じ易い農園芸作物を栽培するときは、波長１２００〜２５００ナノメートルの遠赤外線領域の光を反射ないし遮蔽するものであってよい。
【００２９】
このような上記部材Ｂとしては、例えば、二軸延伸ポリエチレンテレフタレートフィルムなどの任意の透明ウェブ基材の少なくとも片面に、スパッタリング、蒸着、コーティング等の手法を用いて、高屈折率層と低屈折率層とを交互に多積層したもの；高屈折率の透明熱可塑性樹脂組成物と低屈折率の透明熱可塑性樹脂組成物との共押出交互多層積層体；などの光学的な干渉により波長８００〜１２００ナノメートルの光を反射し、波長４００〜５００ナノメートルと波長６００〜７００ナノメートルの光を透過するものをあげることができる。
【００３０】
上記部材Ｂの形状は任意である。通常は、シート状のものを好ましく使用できるが、これに制限されない。
【００３１】
また上記部材Ｂは、ガラス板やプラスチック板などの任意の透明板と積層して設置してもよい。
【００３２】
第２の発明
本発明の第２の発明の農園芸用施設は、（Ａ）太陽光発電システム；及び（Ｃ）波長５００〜６００ナノメートルの光を反射し、波長４００〜５００ナノメートルと波長６００〜７００ナノメートルの光を透過する部材；を有する。
【００３３】
本発明の第２の発明の農園芸用施設を図２を用いて説明する。（Ｃ）波長５００〜６００ナノメートルの光を反射し、波長４００〜５００ナノメートルと波長６００〜７００ナノメートルの光を透過する部材７に入射した太陽光のうち、波長５００〜６００ナノメートルの光は部材７に反射されて、その少なくとも一部、好ましくは全部は、（Ａ）太陽光発電システムの太陽電池アレイ１に入射し、太陽光発電に利用される。波長４００〜５００ナノメートルと波長６００〜７００ナノメートルの光は部材７を透過し、その少なくとも一部、好ましくは全部は、農園芸用施設内部６に入射し、農園芸用作物の育成に利用される。
【００３４】
上記システムＡについては、第１の発明の説明において上述した。
【００３５】
上記部材Ｃは、波長５００〜６００ナノメートルの光を反射し、波長４００〜５００ナノメートルと波長６００〜７００ナノメートルの光を透過する部材である。農園芸作物の生育に必要とする光は、可視光線の中でも波長４００〜５００ナノメートルと６００〜７００ナノメートルの光であり、波長５００〜６００ナノメートルの光は生育への寄与は小さい。つまりこれまでは波長５００〜６００ナノメートルの光が有効活用されていなかった。そこで本発明の第２の発明は、これを太陽光発電に有効利用しようとするものである。
【００３６】
上記部材Ｃの波長５００〜６００ナノメートルの光の反射率（以下、反射率Ｃと略すことがある。）は、好ましくは３０％以上、より好ましくは５０％以上、更に好ましく７０％以上である。反射率Ｃは、高いほど太陽光発電効率が上がるため好ましい。
【００３７】
なお本明細書において、反射率Ｃは、波長５００〜６００ナノメートルの全範囲における日射の反射率が１００％であると仮定した場合の反射スペクトルの積分面積に対する波長５００〜６００ナノメートルにおける日射の反射スペクトルの積分面積の割合であり、島津製作所株式会社の分光光度計「ＳｏｌｉｄＳｐｅｃ−３７００（商品名）」を用い、光を入射角０°で部材Ｃに入射させて測定した値である。
【００３８】
また上記部材Ｃの、農園芸作物の生育に必要とする波長４００〜５００ナノメートルと波長６００〜７００ナノメートルの光の透過率（以下、透過率Ｃと略すことがある。）は、５０％以上、好ましくは７０％以上、より好ましくは８５％以上である。透過率Ｃは、高いほど農園芸用作物の生育の観点から好ましい。
【００３９】
なお本明細書において、透過率Ｃは、波長４００〜５００ナノメートルと波長６００〜７００ナノメートルの全範囲における日射の透過率が１００％であると仮定した場合の透過スペクトルの積分面積に対する波長４００〜５００ナノメートルと波長６００〜７００ナノメートルにおける日射の透過スペクトルの積分面積の割合であり、島津製作所株式会社の分光光度計「ＳｏｌｉｄＳｐｅｃ−３７００（商品名）」を用い、光を入射角０°で部材Ｃに入射させて測定した値である。
【００４０】
上記部材Ｃは、波長５００〜６００ナノメートル、波長４００〜５００ナノメートル、及び波長６００〜７００ナノメートル以外の光は、透過するものであってもよく、反射するものであってもよく、制限されない。例えば、波長２９０〜３８０ナノメートルの紫外線領域の光は、蜜蜂等による虫媒受粉に必要であり、農園芸作物の病気を抑制する効果もあるため、透過するものであってよい。波長１２００〜２５００ナノメートルの遠赤外線領域の光は、農園芸用施設内部の温度を上昇させたいときは、透過するものであってよい。またイチゴやレタスなどの高温による育成障害の生じ易い農園芸作物を栽培するときは、波長１２００〜２５００ナノメートルの遠赤外線領域の光を反射ないし遮蔽するものであってよい。
【００４１】
このような上記部材Ｃとしては、例えば、例えば、二軸延伸ポリエチレンテレフタレートフィルムなどの任意の透明ウェブ基材の少なくとも片面に、スパッタリング、蒸着、コーティング等の手法を用いて、高屈折率層と低屈折率層とを交互に多積層したもの；高屈折率の透明熱可塑性樹脂組成物と低屈折率の透明熱可塑性樹脂組成物との共押出交互多層積層体；などの光学的な干渉により波長５００〜６００ナノメートルの光を反射し、波長４００〜５００ナノメートルと波長６００〜７００ナノメートルの光を透過するものをあげることができる。
【００４２】
上記部材Ｃの形状は任意である。通常は、シート状のものを好ましく使用できるが、これに制限されない。
【００４３】
また上記部材Ｃは、ガラス板やプラスチック板などの任意の透明板と積層して設置してもよい。
【００４４】
第３の発明
本発明の第３の発明の農園芸用施設は、（Ａ）太陽光発電システム；及び（Ｄ）波長７００〜８００ナノメートルの光を反射し、波長４００〜５００ナノメートルと波長６００〜７００ナノメートルの光を透過する部材；を有する。
【００４５】
本発明の第３の発明の農園芸用施設を図３を用いて説明する。（Ｄ）波長７００〜８００ナノメートルの光を反射し、波長４００〜５００ナノメートルと波長６００〜７００ナノメートルの光を透過する部材１１に入射した太陽光のうち、波長７００〜８００ナノメートルの光は部材１１に反射されて、その少なくとも一部、好ましくは全部は、（Ａ）太陽光発電システムの太陽電池アレイ１に入射し、太陽光発電に利用される。波長４００〜５００ナノメートルと波長６００〜７００ナノメートルの光は部材１１を透過し、その少なくとも一部、好ましくは全部は、農園芸用施設内部６に入射し、農園芸用作物の育成に利用される。
【００４６】
上記システムＡについては、第１の発明の説明において上述した。
【００４７】
例えば、トウモロコシなどの農園芸作物の場合、波長７００〜８００ナノメートルの光は、背を高くするばかりで、実（可食部）の生育への寄与は小さい。またトウモロコシなどの農園芸作物は、非常に背が高くなる（通常２〜４メートル）ため、反射部材を４メートル以上の高所に設置しなくてはならなくなる。そこで本発明の第３の発明は、波長７００〜８００ナノメートルの光を反射、即ち、トウモロコシなどの農園芸作物には照射しないようにすることにより、その背を低くし、反射部材の設置位置を低くすることができるようにするとともに、反射した波長７００〜８００ナノメートルの光は、太陽光発電に利用しようとするものである。
【００４８】
上記部材Ｄの波長７００〜８００ナノメートルの光の反射率（以下、反射率Ｄと略すことがある。）は、好ましくは３０％以上、より好ましくは５０％以上、更に好ましく７０％以上である。反射率Ｄは、高いほど太陽光発電効率が上がるため好ましい。
【００４９】
なお本明細書において、反射率Ｄは、波長７００〜８００ナノメートルの全範囲における日射の反射率が１００％であると仮定した場合の反射スペクトルの積分面積に対する波長７００〜８００ナノメートルにおける日射の反射スペクトルの積分面積の割合であり、島津製作所株式会社の分光光度計「ＳｏｌｉｄＳｐｅｃ−３７００（商品名）」を用い、光を入射角０°で部材Ｄに入射させて測定した値である。
【００５０】
また上記部材Ｄの、農園芸作物の生育に必要とする波長４００〜５００ナノメートルと波長６００〜７００ナノメートルの光の透過率（以下、透過率Ｄと略すことがある。）は、５０％以上、好ましくは７０％以上、より好ましくは８５％以上である。透過率Ｄは、高いほど農園芸用作物の生育の観点から好ましい。
【００５１】
なお本明細書において、透過率Ｄは、波長４００〜５００ナノメートルと波長６００〜７００ナノメートルの全範囲における日射の透過率が１００％であると仮定した場合の透過スペクトルの積分面積に対する波長４００〜５００ナノメートルと波長６００〜７００ナノメートルにおける日射の透過スペクトルの積分面積の割合であり、島津製作所株式会社の分光光度計「ＳｏｌｉｄＳｐｅｃ−３７００（商品名）」を用い、光を入射角０°で部材Ｄに入射させて測定した値である。
【００５２】
上記部材Ｄは、波長７００〜８００ナノメートル、波長４００〜５００ナノメートル、及び波長６００〜７００ナノメートル以外の光は、透過するものであってもよく、反射するものであってもよく、制限されない。例えば、波長２９０〜３８０ナノメートルの紫外線領域の光は、蜜蜂等による虫媒受粉に必要であり、農園芸作物の病気を抑制する効果もあるため、透過するものであってよい。波長１２００〜２５００ナノメートルの遠赤外線領域の光は、農園芸用施設内部の温度を上昇させたいときは、透過するものであってよい。またイチゴやレタスなどの高温による育成障害の生じ易い農園芸作物を栽培するときは、波長１２００〜２５００ナノメートルの遠赤外線領域の光を反射ないし遮蔽するものであってよい。
【００５３】
このような上記部材Ｄとしては、例えば、例えば、二軸延伸ポリエチレンテレフタレートフィルムなどの任意の透明ウェブ基材の少なくとも片面に、スパッタリング、蒸着、コーティング等の手法を用いて、高屈折率層と低屈折率層とを交互に多積層したもの；高屈折率の透明熱可塑性樹脂組成物と低屈折率の透明熱可塑性樹脂組成物との共押出交互多層積層体；などの光学的な干渉により波長７００〜８００ナノメートルの光を反射し、波長４００〜５００ナノメートルと波長６００〜７００ナノメートルの光を透過するものをあげることができる。
【００５４】
上記部材Ｄの形状は任意である。通常は、シート状のものを好ましく使用できるが、これに制限されない。
【００５５】
また上記部材Ｄは、ガラス板やプラスチック板などの任意の透明板と積層して設置してもよい。
【００５６】
本発明の構成が、実施例により具体的に説明されたが、これらは本発明を例示的に説明したものに過ぎず、本発明の技術分野における通常の知識を有する者であれば、本発明の本質的な特徴から外れない範囲内で様々な変形が可能である。本明細書に開示された実施例により、本発明の技術思想と技術的範囲が何ら限定されるものではない。本発明の技術的範囲は、特許請求の範囲の記載に基づいて定められるべきであり、これと同等の範囲内にある全ての技術は、本発明の技術的範囲に含まれるものと解釈されるべきである。
【００５７】
例えば、シート状の上記部材Ｂと上記部材Ｃとを積層して用い、波長８００〜１２００ナノメートルの光と波長５００〜６００ナノメートルの光を反射して、太陽光発電に利用し、波長４００〜５００ナノメートルと波長６００〜７００ナノメートルの光は農園芸用施設内部に入射させる実施態様をあげることができる。同様に、部材Ｂ、部材Ｃ、及び上記部材Ｄの３部材を積層して用いる実施態様；部材Ｂと部材Ｄとを積層して用いる実施態様；及び部材Ｃと部材Ｄとを積層して用いる実施態様；をあげることができる。
【図面の簡単な説明】
【００５８】
【図１】本発明の農園芸用施設の１例を示す概念図である。
【図２】本発明の第２の発明の農園芸用施設の１例を示す概念図である。
【図３】本発明の第３の発明の農園芸用施設の１例を示す概念図である。
【図４】本発明の農園芸用施設の他の１例を示す概念図である。
【符号の説明】
【００５９】
１：（Ａ）太陽光発電システムの太陽電池アレイ。
２：（Ｂ）波長８００〜１２００ナノメートルの光を反射し、波長４００〜５００ナノメートルと波長６００〜７００ナノメートルの光を透過する部材。
３：部材２に入射する太陽光。
４：部材２に反射され、太陽電池アレイ１に入射する光。
５：部材２を透過し、農園芸用施設内部６に入射する光。
６：農園芸用施設内部。
７：（Ｃ）波長５００〜６００ナノメートルの光を反射し、波長４００〜５００ナノメートルと波長６００〜７００ナノメートルの光を透過する部材。
８：部材７に入射する太陽光。
９：部材７に反射され、太陽電池アレイ１に入射する光。
１０：部材７を透過し、農園芸用施設内部６に入射する光。
１１：（Ｄ）波長７００〜８００ナノメートルの光を反射し、波長４００〜５００ナノメートルと波長６００〜７００ナノメートルの光を透過する部材。
１２：部材１１に入射する太陽光。
１３：部材１１に反射され、太陽電池アレイ１に入射する光。
１４：部材１１を透過し、農園芸用施設内部６に入射する光。
【図１】
2015208288.tif 000003
【図２】
2015208288.tif 000004
【図３】
2015208288.tif 000005
【図４】
2015208288.tif 000006